(57)【要約】【課題】重量に応じて価格が変動する重量変動価格商品と、商品の種類に応じて価格が定まる固定価格商品とを同時に自動的に精算することが可能な自動精算システムを提供すること。【解決手段】自動精算システム１０は、容器２ａに載置された商品の重量を計測し、商品の重量に応じた重量情報を、非接触通信にて容器２ａに取り付けられたＩＣタグ３ａに書き込む量り売り端末１１と、精算の対象となる商品の容器２ａ，２ｂに取り付けられたＩＣタグ３ａ，３ｂに書き込まれている記憶情報を読み出して精算金額を算出する自動精算端末とを備える。精算の対象となる商品は、重量に応じて価格が定まる重量変動価格商品及び商品の種類に応じて価格が定まる固定価格商品の少なくとも一方を含む。量り売り端末１１は、重量情報を、固定価格商品の識別情報と区別可能な形式でＩＣタグ３ａ，３ｂに書き込む。【選択図】図１
2007310804.tif 000002
【特許請求の範囲】
【請求項１】
非接触通信にて情報の読み出し及び書き込みが可能な記憶媒体が取り付けられた容器を用いた自動精算システムであって、
前記容器に載置された商品の重量を計測する計量部と、前記計量部により計測された前記商品の重量に応じた重量情報を、前記非接触通信にて前記容器に取り付けられた記憶媒体に書き込む重量情報書込部とを有する計量装置と、
精算の対象となる商品の容器に取り付けられた記憶媒体に書き込まれている記憶情報を読み出す記憶情報読出部と、前記記憶情報読出部により読み出された記憶情報に基づいて精算金額を算出する精算部とを有する精算装置と
を備え、
前記精算の対象となる商品は、重量に応じて価格が定まる重量変動価格商品及び商品の種類に応じて価格が定まる固定価格商品の少なくとも一方を含み、
前記固定価格商品の容器に取り付けられた記憶媒体には、その商品に対応した識別情報が書き込まれ、
前記計量装置は、前記重量情報を、前記固定価格商品の識別情報と区別可能な形式で前記記憶媒体に書き込み、
前記精算部は、前記重量変動価格商品及び前記固定価格商品の各々について、前記重量情報及び前記識別情報に対応して予め定められた単価に基づいて精算する自動精算システム。
【請求項２】
請求項１に記載の自動精算システムであって、
前記計量装置は、前記重量情報として、前記重量変動価格商品であることを示す情報と、前記計測された重量に関する情報とを、前記記憶媒体に書き込む自動精算システム。
【請求項３】
請求項１に記載の自動精算システムであって、
前記計量装置が、前記重量情報として、前記固定価格商品に割り当てられた識別情報の範囲とは異なる範囲における識別情報を用いて、前記記憶媒体に書き込む自動精算システム。
【請求項４】
請求項１ないし３のいずれか一項に記載の自動精算システムであって、
前記計量装置は、前記重量情報として、所定の重量の範囲に対応した重量ランクを前記記憶媒体に書き込む自動精算システム。
【発明の詳細な説明】
【技術分野】
【０００１】
本発明は、非接触通信にて情報の読み出し及び書き込みが可能な記憶媒体が取り付けられた容器を用いた自動精算システムに関する。
【背景技術】
【０００２】
店舗で商品を販売するごとに商品の販売情報を記録し、集計結果を在庫管理やマーケティング材料として用いることを目的として、ＰＯＳ（Point Of Sales）システムが用いられている。
【０００３】
このＰＯＳシステムを食堂等において用いた精算システムの一例として、固有番号（ＩＤ）を有し、電磁結合により電力を受けて特定の周波数でデータ出力するＩＤタグを装着させた食器をトレイに載せて、このトレイを読出し部に対して移動させ、食堂における支払料金を読出して精算するものがある（例えば、特許文献１参照）。
【０００４】
【特許文献１】特開平１０−２２２７６３号公報
【発明の開示】
【発明が解決しようとする課題】
【０００５】
上記のシステムにあっては、商品の種類に応じて価格が定まる固定価格商品について精算が可能なものである。一方、食堂等では、商品を必要な量だけ購入したいといった利用者のニーズに応じて、重量に応じて価格が変動する重量変動価格商品、いわゆる量り売り商品を販売する場合もある。この場合、食堂内に、料金秤を設置した量り売りコーナーを設け、料理の重量に応じてその場で現金にて精算を行ったり、料金情報をバーコードに印刷したラベルを発行して、精算レジにてバーコードを読み取ることにより精算を行ったりしている。
【０００６】
このように、量り売りを行う場合、レジのシステムが、無人化可能なＰＯＳシステムとの融合がなされていないため、量り売りコーナーに店員を配置する必要があり、また、利用者にとっても、量り売り商品の購入に手間がかかってしまうという事情がある。
【０００７】
本発明は、上記の事情に鑑みてなされたものであって、重量に応じて価格が変動する重量変動価格商品と、商品の種類に応じて価格が定まる固定価格商品とを同時に自動的に精算することが可能な自動精算システムを提供することを目的とする。
【課題を解決するための手段】
【０００８】
本発明の自動精算システムは、非接触通信にて情報の読み出し及び書き込みが可能な記憶媒体が取り付けられた容器を用いた自動精算システムであって、前記容器に載置された商品の重量を計測する計量部と、前記計量部により計測された前記商品の重量に応じた重量情報を、前記非接触通信にて前記容器に取り付けられた記憶媒体に書き込む重量情報書込部とを有する計量装置と、精算の対象となる商品の容器に取り付けられた記憶媒体に書き込まれている記憶情報を読み出す記憶情報読出部と、前記記憶情報読出部により読み出された記憶情報に基づいて精算金額を算出する精算部とを有する精算装置とを備え、前記精算の対象となる商品は、重量に応じて価格が定まる重量変動価格商品及び商品の種類に応じて価格が定まる固定価格商品の少なくとも一方を含み、前記固定価格商品の容器に取り付けられた記憶媒体には、その商品に対応した識別情報が書き込まれ、前記計量装置は、前記重量情報を、前記固定価格商品の識別情報と区別可能な形式で前記記憶媒体に書き込み、前記精算部は、前記重量変動価格商品及び前記固定価格商品の各々について、前記重量情報及び前記識別情報に対応して予め定められた単価に基づいて精算するものである。
【０００９】
この構成により、精算装置において、重量に応じて価格が変動する重量変動価格商品と、商品の種類に応じて価格が定まる固定価格商品とを同時に自動的に精算するので、消費者にとって利用しやすい量り売りが可能となる。
【００１０】
また、本発明の自動精算システムは、前記計量装置が、前記重量情報として、前記重量変動価格商品であることを示す情報と、前記計測された重量に関する情報とを、前記記憶媒体に書き込むものである。
【００１１】
この構成により、精算装置は、重量変動価格商品か固定価格商品化かを容易に判断して精算を行うことができる。
【００１２】
また、本発明の自動精算システムは、前記計量装置が、前記重量情報として、前記固定価格商品に割り当てられた識別情報の範囲とは異なる範囲の識別情報を用いて、前記記憶媒体に書き込むものである。
【００１３】
この構成により、精算装置は、重量変動価格商品及び固定価格商品化の両方に対応していなくても、範囲の異なる識別情報から、重量変動価格商品か固定価格商品化かを判断して精算を行うことができる。
【００１４】
また、本発明の自動精算システムは、前記計量装置が、前記重量情報として、所定の重量の範囲に対応した重量ランクを前記記憶媒体に書き込むものである。
【００１５】
この構成により、記憶媒体に書き込まれる情報の種類が低減されるので、記憶容量の小さな記憶媒体を使用することができる。
【発明の効果】
【００１６】
本発明によれば、重量に応じて価格が変動する重量変動価格商品と、商品の種類に応じて価格が定まる固定価格商品とを同時に自動的に精算することが可能な自動精算システムを提供することができる。
【発明を実施するための最良の形態】
【００１７】
（第１の実施形態）
図１は、本発明の第１の実施形態に係るＰＯＳ自動精算システムの概要を示す説明図である。図１を参照して、本実施形態の自動精算システムの概要を説明する。なお、本実施形態では、自動精算システムの一例として、食堂に用いられるＰＯＳ自動精算システム１０であり、このシステムにて取り扱われる商品が、食堂にて提供される料理である場合について説明する。なお、取り扱われる商品（料理）として、重量に応じて価格が定まる重量変動価格商品（以下、量り売り料理という）、及び商品の種類に応じて価格が定まる固定価格商品（以下、固定価格料理という）がある。
【００１８】
図１に示すように、ＰＯＳ自動精算システム１０は、計量装置の一例として動作する量り売り端末１１と、精算装置の一例として動作する自動精算端末１２とを有する構成である。
【００１９】
利用者は、量り売り料理を購入する場合、量り売り端末１１にて量り売り用の容器２ａに、好みの量の料理を載置する。量り売り用の容器２ａは、例えば、グラム当たりの単価が同じで複数種類の料理を載置可能な仕切り付のプレート等が用いられる。容器２ａには非接触通信にて情報の読み出し及び書き込みが可能な記憶媒体の一例としてのＩＣタグ３ａが取り付けられている。量り売り端末１１は、計量部１１１及びアンテナ１１７を有して構成され、容器２ａに載置された料理の重量を計測し、その重量に応じた重量情報をアンテナ１１７を介してＩＣタグ３ａに書き込む。
【００２０】
その後、利用者は自動精算端末１２にて、精算を行う。自動精算端末１２は、上記のような量り売り料理のほか、固定価格料理も同時に精算可能に構成されている。固定価格料理の容器２ｂには、ＩＣタグ３ｂが取り付けられている。ＩＣタグ３ｂには、容器２ｂ毎に容器の個別識別情報又は固定価格料理の種類を示す識別情報が書き込まれている。
【００２１】
料理自動精算端末１２は、精算の対象となる商品の容器２ａ，２ｂに取り付けられたＩＣタグ３ａ，３ｂに書き込まれている記憶情報を読み出して、精算金額を算出する。
【００２２】
次に、本実施形態の自動精算システムの詳細について説明する。図２は、本発明の第１の実施形態に係るＰＯＳ自動精算システムの主要な構成を示すブロック図である。
【００２３】
図２に示すように、量り売り端末１１は、計量部１１１と、記憶部１１２と、表示部１１３と、制御部１１４と、ＩＣタグリーダ／ライタ１１５と、操作部１１８とを有する。なお、制御部１１４及びＩＣタグリーダ／ライタ１１５は、重量情報書込部の一例として機能する。
【００２４】
計量部１１１は、電子量り等を有して構成され、量り売り料理の重量を計測する。記憶部１１２は、量り売り料理の重量と重量ランクの対応テーブルを記憶する。この対応テーブルについて図３を参照して説明する。
【００２５】
図３は、本発明の第１の実施形態に係る量り売り端末に記憶される重量と重量ランクの対応テーブルの例を示す図である。図３に示すように、本実施形態のＰＯＳ自動精算システム１０では、量り売り端末１１において計測された重量について、所定の重量の範囲に対応した重量ランクを用いて精算を行う。例えば、図３に示すように、重量０〜９グラムを重量ランク１に、重量１０〜１９グラムを重量ランク２に設定するなど、重量と重量ランクの対応関係を設定することにより、対応できる重量範囲も設定できる。例えば、ＩＣタグ３ａに書き込む重量に関連した情報として、０〜３９９の数字を使う場合、１ランク当たり１０グラムに対応するように設定した場合、０〜３９９０グラムに対応できる。
【００２６】
なお、記憶部１１２は、このような対応テーブルを記憶する代わりに、計測された重量と重量ランクとの関係式を記憶し、制御部１１４にて記憶された関係式から重量ランクを算出してもよい。
【００２７】
表示部１１３は、計量部１１１に計量された結果を表示する。ここで、例えば、表示されるのは、利用者が選んだ量り売り料理の重量及び価格である。制御部１１４は、記憶部１１２に記憶された対応テーブルを参照して重量から量り売り料理の重量ランクを求める。
【００２８】
ＩＣタグリーダ／ライタ１１５は、アンテナコントローラ１１６及びアンテナ１１７を有し、アンテナコントローラ１１６の制御で、アンテナ１１７を介して制御部１１４にて求められた重量ランクをＩＣタグ３ａに書き込む。本実施形態では、重量ランクをＩＣタグ３ａに書き込む時に、ＩＣタグ３ａ内の記憶用レジスタの特定桁において、量り売り用と固定価格用を区別する内容を書き込む。操作部１１８は、所定のボタンや表示部１１３上に設けられたタッチパネル等を有して構成され、利用者が量り売り料理を容器３ａに載置して重量や料金が確認して、購入を決定するとき等に操作される。
【００２９】
図４は、本発明の第１の実施形態に係るＰＯＳ自動精算システムに用いられるＩＣタグ内の記憶用レジスタの構成例を示す図である。図４（ａ）は、１２ｂｉｔレジスタの場合、フラグ桁とデータ桁の区分例を示す。この例において、１０、１１桁はフラグ桁と呼ばれる量り売り用と固定価格用を区別する内容を記憶する桁であり、それ以外の０〜９桁はデータ桁であって、量り売り用には正味重量に対応した重量ランク値を、固定価格用には容器の番号を収納する。
【００３０】
図４（ｂ）は、データ桁を２進化１０進数として利用する例である。この例において、１０、１１桁の値は「００」である場合に固定価格であり、「０１」、「１０」、「１１」である場合に量り売りである。データ桁の０〜３桁と４〜７桁はそれぞれ１０進数の０〜９に対応し、８〜９桁は１０進数の０〜３に対応する。これによって、０〜９桁は１０進数の０〜３９９に対応することができる。
【００３１】
図４（ｃ）は、固定価格料理のタグメモリフォーマット例である。この例において、固定価格なので、１０、１１桁の値は「００」であり、０〜９桁の値は容器番号である。
【００３２】
図４（ｄ）は、量り売り料理のタグメモリフォーマット例である。この例において、量り売りなので、１０、１１桁の値は「０１」、「１０」、「１１」であり、０〜９桁の値は量り売り料理の重量に対応する重量ランクである。
【００３３】
このようにして、量り売り端末１１は、計量部１１１により計測された商品の重量に応じた重量情報を、固定価格商品に応じた識別情報と区別可能な形式でＩＣタグ３ａに書き込むこととなる。
【００３４】
自動精算端末１２は、ＩＣタグリーダ／ライタ１２１と、記憶部１２２と、制御部１２３と、表示部１２４とを有する。
【００３５】
ＩＣタグリーダ／ライタ１２１は、記憶情報読出部の一例として機能し、アンテナ１２５を介して、商品の容器に取り付けられたＩＣタグに書き込まれた重量ランクと固定価格料理の容器番号を読み出す。
【００３６】
記憶部１２２は、固定価格の容器番号と価格の対応テーブル及び量り売りの重量ランクと価格の対応テーブルとを記憶する。
【００３７】
図５は、本発明の第１の実施形態に係る自動精算端末に記憶されるテーブルの例を示す図である。図５（ａ）は、固定価格の容器番号と価格との対応テーブル例である。この例において、固定価格の容器番号は「０」である場合の価格は５０円であり、固定価格の容器番号は「１」である場合の価格は７０円である。これによって、ＩＣタグ３ａ，３ｂから読み出した固定価格の容器番号から料理の価格が取得できる。
【００３８】
図５（ｂ）は、量り売りの重量ランクと価格の対応テーブル例である。この例において、重量ランクは「１」である場合の価格は１５円であり、重量ランクは「２」である場合の価格は３０円である。これによって、ＩＣタグ３ａ，３ｂから読み出した量り売りの重量ランクから料理の価格が取得できる。なお、量り売り料理の価格の取得に関しては、記憶部１２２が、対応テーブルを記憶する代わりに、重量ランクと価格との関係式を記憶し、制御部１１４にて記憶された関係式から価格を算出してもよい。
【００３９】
制御部１２３は、精算部の一例として機能し、記憶部１２２に記憶された固定価格の容器番号と価格の対応テーブル及び量り売りの重量ランクと価格の対応テーブルとを参照してＩＣタグリーダ／ライタ１２１より読み出した価格料理の容器番号及び量り売りの重量ランクを基に、固定価格料理の価格及び量り売り料理の価格を求めて合計金額を算出する。表示部１２４は、制御部１２３で算出された合計金額を表示する。
【００４０】
以上のように構成されたＰＯＳ自動精算システムについて、図６を参照して料金の自動精算の動作を説明する。図６は、本発明の第１の実施形態に係る自動精算動作の手順を示すフローチャートである。
【００４１】
まず、利用者が食堂に行って、量り売り料理を選ぶかを決定する（ステップＳ５０１）。利用者は、量り売り料理を選ぶと決定した場合、量り売り料理用の容器２ａを取って（ステップＳ５０２）、自分が欲しい量り売り料理を容器２ａに載せ（ステップＳ５０３）、量り売り端末１１の置いてある所へ行く（ステップＳ５０４）。
【００４２】
利用者が量り売り端末１１の所で量り売り料理用の容器２ａを計量皿に載せると（ステップＳ５０５）、量り売り端末１１は、計量部１１１にて量り売り料理の量を計測し（ステップＳ５０６）、計量結果を表示部１１３に表示する（ステップＳ５０７）。ここで、表示されるのは、量り売り料理の重量及び価格である。
【００４３】
制御部１１４は操作部１１８の確認ボタンが押下されたかを判断し（ステップＳ５０８）、押下されていないと判定した場合、ステップＳ５０８を繰り返し実行し、確認ボタンの押下を待つ。量り売り料理の重量及び価格が表示された後、利用者がその量り売り料理の重量及び価格を確認し、確認ができた後、確認ボタンを押下する。
【００４４】
一方、ステップＳ５０８において、確認ボタンが押下されたと判定した場合、重量ランク値をＩＣタグ３ａに書き込む（ステップＳ５０９）。具体的には、制御部１１４が、確認ボタンが押下されたと判定した後、記憶部１１２に記憶された重量と重量ランクの対応テーブルを参照して量り売り料理の重量ランクを算出し、その算出した重量ランクをＩＣタグリーダ／ライタ１１５に通知し、ＩＣタグリーダ／ライタ１１５が、制御部１１４からの重量ランクを量り売り用の容器２ａに取り付けてあるＩＣタグ３ａに書き込む。そして、利用者が量り売り用の容器２ａをトレイ１に載せ（ステップＳ５１０）、ステップＳ５１１に進む。
【００４５】
一方、ステップＳ５０１において、利用者が量り売り料理を選ばないと決定した場合、利用者が固定価格料理を選ぶかを決定する（ステップＳ５１１）。ステップＳ５１１において、利用者が固定価格料理を選ぶと決定した場合、自分が欲しい固定価格料理をトレイ１に集めて（ステップＳ５１２）、自動精算端末１２のトレイ置き台にトレイ１をセットする（ステップＳ５１３）。
【００４６】
一方、ステップＳ５１１において、利用者が固定価格料理を選ばないと決定した場合、直ちにステップＳ５１３に進み、直接量り売り料理が載せてあるトレイ１を自動精算端末１２のトレイ置き台にセットする。ここで、ステップＳ５０１において、利用者が量り売り料理を選ばないと決定した後、ステップＳ５１１において固定価格料理を選ばないと決定したケースは、精算の必要がないので、本実施形態の対象外とする。
【００４７】
トレイ１が、自動精算端末１２のトレイ置き台にセットされると、ＩＣタグリーダ／ライタ１２１は、ＩＣタグ３ａ，３ｂに書き込まれた内容を読み出し、その読み出した内容を制御部１２３に通知する。制御部１２３は、ＩＣタグリーダ／ライタ１２１から受信した内容によって固定価格料理であるか否かを判断する（ステップＳ５１４）。ここの判断はＩＣタグに書き込まれた内容の１０、１１桁の値より行う。読み出された内容は「００」である場合、固定価格料理であると判断し、それ以外の値の場合、量り売り料理であると判断する。
【００４８】
ステップＳ５１４において、固定料理だと判定した場合、制御部１２３が記憶部１２２に記憶される固定価格の容器番号と価格の対応テーブルを参照して固定価格料理の料金を算出し（ステップＳ５１５）、ステップＳ５１７に進む。
【００４９】
一方、ステップＳ５１４において、固定料理ではないと判定した場合、量り売り料理だとみなして、制御部１２３が記憶部１２２に記憶される量り売りの重量ランクと価格の対応テーブルを参照して、量り売り料理の料金を算出する（ステップＳ５１６）。
【００５０】
制御部１２３がトレイ１にある全てのＩＣタグ３ａ，３ｂを精算したかを判断し（ステップＳ５１７）、まだ全部精算していないと判断した場合、ステップＳ５１４に戻り、引き続き精算する。
【００５１】
一方、ステップＳ５１７において、全てのＩＣタグを精算したと判定した場合、制御部１２３が合計金額を算出し、表示部１２４に表示させる（ステップＳ５１８）。
【００５２】
利用者が表示部１２４の表示によって金額を確認し、カード決済を行い（ステップＳ５１９）、処理が終了する。
【００５３】
このような本発明の第１の実施形態のＰＯＳ自動精算システムによれば、固定料金の料理と量り売り料理とは合わせて１回の精算作業で簡単に操作が済んでしまう利便性を提供することができる。また、食堂の営業を行う業者にとっては、量り売り選任の担当者を置くことなく、人件費も掛からず、利用者に満足される食堂を提供する事が出来、食堂の売上げ向上にも貢献できる。
【００５４】
（第２の実施形態）
以下、本発明の第２の実施形態のＰＯＳ自動精算システムについて説明する。本発明の第２の実施形態のＰＯＳ自動精算システムは、容器に取り付けられたＩＣタグに書き込まれた内容の値の範囲によって、固定価格料理か量り売り料理かを区別する。なお、本実施形態に係るＰＯＳ自動精算システムは、第１の実施形態で説明した図１及び図２と同様の構成を有しており、その説明を省略する。
【００５５】
図７は、本発明の第２の実施形態に係る量り売り端末に記憶される重量と重量ランクの対応テーブルの例を示す図である。第１の実施形態と同様に、固定価格商品に割り当てられた容器番号を０〜３９９としたとき、図７に示すように、重量０〜９グラムを重量ランク４０１に、重量１０〜１９グラムを重量ランク４０２に設定するなど、重量ランクは、固定価格料理の容器番号とは異なる範囲の番号が割り当てられる。
【００５６】
制御部１１４は、重量から記憶部１１２に記憶された対応テーブルを参照して量り売り料理の重量ランクを求める。例えば、４００〜９９９の範囲を量り売り料理の重量ランクとして扱う。
【００５７】
ＩＣタグリーダ／ライタ１１５は、アンテナコントローラ１１６及びアンテナ１１７を有し、アンテナコントローラ１１６の制御で、アンテナ１１７を介して制御部１１４に求められた重量ランクをＩＣタグ３ａに書き込む。すなわち、本実施形態では、重量ランクをＩＣタグ３ａに書き込む時に、固定価格商品に割り当てられた範囲とは異なる範囲のデータを書き込むこととなる。例えば、０〜３９９の場合は固定価格料理であり、４００〜９９９の場合は量り売り料理である。
【００５８】
図８は、本発明の第２の実施形態に係るＰＯＳ自動精算システムに用いられるＩＣタグ内の記憶用レジスタの構成例を示す図。図８（ａ）は、固定価格料理のタグメモリフォーマット例である。この例において、固定価格なので、１０、１１桁の値は「００」であり、０〜９桁の値は容器番号である。容器番号の範囲は０〜３９９である。
【００５９】
図８（ｂ）は、量り売り料理のタグメモリフォーマット例である。この例において、０〜３桁と４〜７桁はそれぞれ１０進数の０〜９に対応し、８〜１１桁を１０進数４〜９に対応する。これによって、０〜１１桁は１０進数の４００〜９９９に対応する。
【００６０】
記憶部１２２は、固定価格の容器番号と価格の対応テーブル及び量り売りの重量ランクと価格の対応テーブルとを記憶する。
【００６１】
図９は、本発明の第２の実施形態に係る自動精算端末に記憶されるテーブルの例を示す図である。図９（ａ）は、固定価格の容器番号と価格の対応テーブル例である。この例において、固定価格の容器番号は「０」である場合の価格は５０円であり、固定価格の容器番号は「１」である場合の価格は７０円である。これによって、ＩＣタグから読み出した固定価格の容器番号から料理の価格が取得できる。
【００６２】
図９（ｂ）は、量り売りの重量ランクと価格の対応テーブル例である。この例において、重量ランクは「４０１」である場合の価格は１５円であり、重量ランクは「４０２」である場合の価格は３０円である。これによって、ＩＣタグから読み出した量り売りの重量ランクから料理の価格が取得できる。
【００６３】
制御部１２３が読み出したＩＣタグの内容の範囲によって、固定価格料理か量り売り料理かを判断し、料金を算出する。例えば、読み出したＩＣタグの内容の値は０〜３９９である場合、固定価格料理とみなして処理を行い、読み出したＩＣタグの内容の値は４００〜９９９である場合、量り売り料理とみなして処理を行う。
【００６４】
このような本発明の第２の実施形態のＰＯＳ自動精算システムによれば、フラグ桁を設けなくても固定価格料理か量り売り料理かを区別することができ、自動レーン側のソフトウェアが量り売りを考慮していない場合でも、固定価格料理と量り売り料理とは混在して精算することができる。
【産業上の利用可能性】
【００６５】
本発明の自動精算システムは、重量に応じて価格が変動する重量変動価格商品と、商品の種類に応じて価格が定まる固定価格商品とを同時に自動的に精算することが可能な効果を有し、食堂等におけるＰＯＳシステム等に有用である。
【図面の簡単な説明】
【００６６】
【図１】本発明の第１の実施形態に係るＰＯＳ自動精算システムの概要を示す説明図
【図２】本発明の第１の実施形態に係るＰＯＳ自動精算システムの主要な構成を示すブロック図
【図３】本発明の第１の実施形態に係る量り売り端末に記憶される重量と重量ランクの対応テーブルの例を示す図
【図４】本発明の第１の実施形態に係るＰＯＳ自動精算システムに用いられるＩＣタグ内の記憶用レジスタの構成例を示す図
【図５】本発明の第１の実施形態に係る自動精算端末に記憶されるテーブルの例を示す図
【図６】本発明の第１の実施形態に係る自動精算動作の手順を示すフローチャート
【図７】本発明の第２の実施形態に係る量り売り端末に記憶される重量と重量ランクの対応テーブルの例を示す図
【図８】本発明の第２の実施形態に係るＰＯＳ自動精算システムに用いられるＩＣタグ内の記憶用レジスタの構成例を示す図
【図９】本発明の第２の実施形態に係る自動精算端末に記憶されるテーブルの例を示す図
【符号の説明】
【００６７】
１  トレイ
２ａ，２ｂ  容器
３ａ，３ｂ  ＩＣタグ
１０  ＰＯＳ自動精算システム
１１  量り売り端末
１２  自動精算端末
１１１  計量部
１１２、１２２  記憶部
１１３  表示部
１１４、１２３  制御部
１１５、１２１  ＩＣタグリーダ／ライタ
１１６  アンテナコントローラ
１１７  アンテナ
１１８  操作部
【図１】
2007310804.tif 000003
【図２】
2007310804.tif 000004
【図３】
2007310804.tif 000005
【図４】
2007310804.tif 000006
【図５】
2007310804.tif 000007
【図６】
2007310804.tif 000008
【図７】
2007310804.tif 000009
【図８】
2007310804.tif 000010
【図９】
2007310804.tif 000011